(57)【特許請求の範囲】
【請求項１】
上層に３ウェイバルブモジュール１２０が収容設置される３ウェイバルブ収容部１０１と、３ウェイバルブ収容部の下部である３ウェイバルブ収容部底板１０６と、３ウェイバルブ収容部１０１の下部空間である合水部１０２と、合水部の一側上方に分岐部１０３が一体に設けられた冷温水混合水栓金口１００であって、前記３ウェイバルブ収容部底板１０６には２つの３ウェイバルブモジュール設置キー凹溝１０５の間に設けられた冷水流入口Ｇ１は合水部１０２とは通水されないままに合水部直下方底外側に一体に突出形成された冷水流入口ソケットＳＧ１と通水され、前記３ウェイバルブモジュール設置キー凹溝１０５に対向する３ウェイバルブ収容部底板１０６の上の右方に設けられた温水槽冷水供給口Ｇ２は合水部１０２とは通水されないままに合水部直下方底外側に突出形成された温水槽冷水供給口ソケットＳＧ２と通水されるように一体形成され、前記３ウェイバルブモジュール設置キー凹溝１０５に対向する３ウェイバルブ収容部底板１０６の上の左方に設けられた合水部冷水供給口Ｇ３は合水部１０２と通水されるように形成され、合水部冷水供給口Ｇ３の直下方位置の合水部１０２の底に形成した合水部温水流入口Ｇ４は合水部底外側に突出形成された合水部温水流入口ソケットＳＧ４と一体に通水されることを特徴とする温水器用ワンレバー式冷温水混合水栓。
【発明の詳細な説明】
【技術分野】
【０００１】
本発明は配管設備が容易な温水器用ワンレバー式冷温水混合水栓に関し、より詳しくは、１つの冷水管のみを温水器に配管させて温水専用または冷水専用や温水と冷水とが均等に混合された水を使用することができるようにする特徴と、配管設備が簡略化されて暖房施設が設けられていない一般事務室や商店街オフィステル、学校及び公用施設の水栓などに多様に適用できるようにする配管設備が容易な温水器用ワンレバー式冷温水混合水栓に関する。
【背景技術】
【０００２】
一般に、温水器は瞬間加熱方式供給方式と加熱された温水を温水槽で供給する２つ方式がある。
【０００３】
瞬間加熱方式は温水を使用する加熱媒体により瞬間的に加熱して温水を供給しなければならないので、着火が速く、発熱温度の高いガス瞬間温水器方式がたくさん使われるが、温水器の近くに備えるガス桶や配管からの漏れ心配によって避ける 傾向があり、油だきボイラーによる方式は油タンクと燃焼室などの具備によって温水器の初期設置費が多過ぎて、小型化させることに困難性がある。
【０００４】
一方、電気ヒーターによる瞬間温水器はヒーターの容量が大部分３Ｋｗ／ｈ以上で、家庭用には負担になり、持続的に温水を使用するためにはヒーター容量が６〜７Ｋｗ／ｈまで要求される製品が一般的である。
【０００５】
このようなガスまたは電気ヒーターによる瞬間加熱方式温水器の貯蔵槽に連結された吐水口からは温水のみ排出されるものであって、冷水のみを使用しようとするか、冷水を混合して使用しようとする場合には温水器を経ないで給水栓から供給される別途の冷水管でＴ管を使用して引き出した冷水配管と温水器から排出された温水配管に各々の専用蛇口を設置するか、または冷水または温水のみを選択するか、混合排出するようにする公知の混合水栓を追加設置する不便が常存する。
【０００６】
仮に、瞬間加熱方式の温水器の場合には、冷水供給パイプのみを配管した場合、温水器から冷水を使用するためには瞬間加熱方式では温水器の電源を遮断した状態で温水器から配管引出されたシャワー器または蛇口を通じて使用しなければならない不便性が伴われる。
【０００７】
このような理由によりボイラー施設が設けられていない一般事務室や商店街オフィステル、学校及び公用施設に設置しようとする瞬間加熱方式の温水器の場合には、前記のようなＴ管を使用した配管設備を収容するか、別途に冷水配管を付設しなければならない理由により小型化がなされず、配管設置が複雑になる。
【０００８】
参考に、一般的に使われる冷温水分配３ウェイバルブは、図８に参考図示したように、冷水供給ラインと温水供給ラインが同時に配管されるという前提下にハンドルを持ち上げればバルブが開いて、ハンドルを下げれば管路が塞がり、ハンドルを持ち上げた後、左方に最大限回せば温水が、右方に最大限回せば冷水が出る構造で冷温水分配バルブに内蔵された円板弁の構造は２つが上下対接されたものであって、詳細な補充説明は、次の通りである。
【０００９】
上方に円形の冷温水出口１ｃの１つ、下方の左右に弧形の温水入口１ｂ、冷水入口１ａが形成された下部円板弁１の上には不倒翁型の凹溝が形成された上部円板弁２が密着した組立体に上部円板弁２に連結されたハンドルにより上部円板を上下左右に調整して温水と冷水または冷温水混合または給水供給停止などの開閉動作がなされるようになっている。
【００１０】
このような公知の冷温水分配バルブを収容する水栓胴体の下部円板弁１の左方に設けられた冷水入口１ａには冷水管が、右方に設けられた温水入口１ｂには温水管が配管連結されているので、温水器から冷水または温水を選択するか、混合水を使用するためには温水器に供給される冷水管にＴ管を設置して加熱されて排出される温水管と別途の冷水管を冷温水分配バルブに各々導入しなければならないものであって、このような配管設備によって瞬間加熱方式の温水器を小型化することに障害物となる。
【００１１】
このような例に、本人の従前の国内登録実用新案第２０−０２９２５２０号‘３ウェイ減圧バルブ装置’の掲示されたシャンプーシステムの実施例示の図６のように、給水栓で３ウェイ減圧バルブに供給される冷水管路は３ウェイ減圧バルブから排出されて瞬間温水器に供給される冷水管路と、瞬間温水器で加熱された温水がシャワー器にも供給されるようにＴ配管を通じてシャンプーシステムの内部から引出されたフレキシブル配管にシャワー器を配管設置する構造はシャワー器を持って髪を洗う動作に従う便利性もあるが、それに伴う配管資材と副資材などがかかる問題が伴われる。
【００１２】
このように、瞬間加熱方式の壁掛け型温水器の使用時、配管設備資材に適用例示を表した冷温水混合装置に、出願人の先登録２０−０３８７３２４号に掲示された配管設備系統によれば、従前の壁掛け方式の温水器に冷温水混合３ウェイ分配水器を設置して冷水温水または冷温混合水を使用しようとする場合には、給水栓から流入した冷水管路を温水器と冷温水混合３ウェイ分配水器と別途にＴ管に分岐させて、Ｔ管の一端にシャワー器またはワンレバー式冷温水混合３ウェイ分配水器を締結する方式により、アダプタ及びエルボまたはＴ管などの副資材により突出し、小型化を成し難い構造であることが分かる。
【００１３】
このような問題点を勘案して出願人の更に他の従前の技術として、瞬間加熱方式の温水器の配管設備を多少簡素化させた技術に、登録特許１０−１０５２６８１号‘壁掛け型ミニ電気温水器’は既存に比べて配管設備が簡素化されて温水器の小型化に多い進展があったが、相変らず冷温水分配バルブとシャワー器がＴ管に各々配管設置されることによって、シャワー器の設置のための配管資材と副資材などがかかって、原価の高い比重を占めて、瞬間加熱方式の貯蔵式温水器において小型化がなされられず、組立工程が改善されていない実状である。
【００１４】
参考に、既存の１つのレバーで冷水及び温水または冷温水を混合してフレキシブル配管にシャワー器を具備した厨房用冷温水分配水栓関連技術に、大韓民国公開実用新案公報実２０００−０００７３７７号‘ワンレバー型蛇口’と登録実用新案第２０−０１６５２２７号‘厨房用作り付け蛇口’を瞬間加熱方式の温水器に採択する場合を挙げることができるが、このためには給水栓から供給される冷水管路にＴ管を設置して１つの管路は冷温水分配水栓の冷水管路に配管させ、他の１つの管路は温水器に供給する冷水管路に分岐させる配管作業と共に、また温水器から排出される温水管路は前記‘ワンレバー型蛇口’と‘厨房用作り付け蛇口’の温水管路に引込させるＴまたはエルボ配管作業を実施しなければならないが、このようにボイラーから供給された温水管路と給水栓から供給される冷水管路に配管設置された厨房用冷温水分配水栓金口には別途にＴ配管作業を実施する部位が設けられず、やむなく厨房用冷温水分配水栓金口の冷水管路または温水管路に別途のアダプタ及びエルボまたはＴ管などの副資材を突出設置することによって、外観がよくなくて、外観設備が大きくなって、相変らず瞬間加熱方式の温水器に対して小型化をなすことができない要因として提供される。
【先行技術文献】
【特許文献】
【００１５】
【特許文献０００１】ＫＲ２０−０２９２５２０ Ｙ１（２００２．１０．０７）
【特許文献０００２】ＫＲ２０−０３８７３２４ Ｙ１（２００５．０６．０９）
【特許文献０００３】ＫＲ１０−１０５２６８１ Ｂ１（２０１１．０７．２２）
【特許文献０００４】ＫＲ実２０００−０００７３７７ Ｕ（２０００．４．２５）
【特許文献０００５】ＫＲ２０−０１６５２２７ Ｙ１（１９９９．１０．１５）
【発明の概要】
【発明が解決しようとする課題】
【００１６】
前記のような点を勘案して、本発明では瞬間加熱方式の温水器を備えた温水器用ワンレバー式冷温水混合水栓の構造を改善して、アダプタ及びエルボまたはＴ管などの配管資材を使用せず、温水器との配管設備を簡素化させて小型化をなすことができるようにして、温水専用または冷水専用や温水と冷水とが均等に混合された水を使用することができるようにする目的を提供して、暖房施設が設けられていない一般事務室や商店街オフィステル、学校及び公用施設の水栓などに多様に適用できるようにする温水器用ワンレバー式冷温水混合水栓を提供しようとするものである。
【課題を解決するための手段】
【００１７】
前記のような目的をなすために、本発明では上層に３ウェイバルブモジュール１２０が収容設置される３ウェイバルブ収容部１０１と、３ウェイバルブ収容部の下部である３ウェイバルブ収容部底板１０６と、３ウェイバルブ収容部１０１の下部空間である合水部１０２と、合水部の一側上方に分岐部１０３が一体に設けられた冷温水混合水栓金口１００において、前記３ウェイバルブ収容部底板１０６には２つの３ウェイバルブモジュール設置キー凹溝１０５の間に設けられた冷水流入口Ｇ１は合水部１０２とは通水されないままに合水部直下方底外側に一体に突出形成された冷水流入口ソケットＳＧ１と通水され、前記３ウェイバルブモジュール設置キー凹溝１０５に対向する３ウェイバルブ収容部底板１０６の上の右方に設けられた温水槽冷水供給口Ｇ２は合水部１０２とは通水されないままに合水部直下方底外側に突出形成された温水槽冷水供給口ソケットＳＧ２と通水されるように一体形成され、前記３ウェイバルブモジュール設置キー凹溝１０５に対向する３ウェイバルブ収容部底板１０６の上の左方に設けられた合水部冷水供給口Ｇ３は合水部１０２と通水されるように形成され、合水部冷水供給口Ｇ３の直下方位置の合水部１０２の底に形成された合水部温水流入口Ｇ４は合水部底外側に突出形成された合水部温水流入口ソケットＳＧ４と一体に通水されることを特徴とする温水器用ワンレバー式冷温水混合水栓を提供するようになったものである。
【発明の効果】
【００１８】
本発明に従う温水器用ワンレバー式冷温水混合水栓の主要部である冷温水混合水栓金口１００を通じて別途の配管設備無しで、給水栓冷水供給管１１０に流入した冷水Ｃが３ウェイバルブモジュール１２０を通じた円板弁の選択的な組合により３ウェイバルブ収容部底板１０６に設けられた合水部冷水供給口Ｇ３が合水部１０２に開通されて供給される冷水Ｃ１と合水部１０２を経ないで温水槽２００に供給される冷水Ｃ２に分岐される一体の分配構造で、従前にこのために外部に設置しなければならなかったアダプタ及びエルボまたはＴ管などの配管資材を使用しなければならない不便性と配管設備を簡素化させて温水器用ワンレバー式冷温水混合水栓の小型化をなすことができるようにして、一般事務室や商店街オフィステル、学校及び公用施設の水栓などに多様に適用できるようにする温水器用ワンレバー式冷温水混合水栓を提供した。
【００１９】
一方、本発明の冷温水混合水栓金口１００の３ウェイバルブ収容部底板１０６の下の合水部１０２には温水槽２００から排出される温水Ｈ１が流入する温水槽温水流出ニップル２０２が配管開通された構造で合水部１０２から分岐された分岐部１０３の吐水口１０４に締結されたシャワー器１６０のノズルを通じて大気に開通されることが特徴であって、温水槽２００が設定温度に加温待機される間、本発明では冷水流入口ソケットＳＧ１を通じて３ウェイバルブ収容部底板１０６の上の冷水流入口Ｇ１まで流入した冷水Ｃは停止した状態を維持し、冷温水混合水栓金口１００の合水部温水流入ソケットＳＧ４に配管設置された温水槽２００の温水槽温水流出ニップル２０２で配管された温水槽温水排出管１１１が開通された状態で合水部１０２の一側上方に一体に形成された分岐部１０３の吐水口１０４を通じて設置されたシャワー器１６０のノズル孔を通じて温水槽２００の内部は大気圧が維持されて温水槽の内部に膨脹圧力が発生されず、発生した蒸気はシャワー器１６０のノズル孔を通じて大気に排出されて大気圧を維持して温水槽の内部は圧力が作用しなくなる。従前の密閉状態で温水槽は内部圧により温水槽が膨脹された状態で温水を使用することによって急な冷水が温水槽２００の内部に流入して急激な冷却により温水槽が収縮するような反復動作による温水槽２００の破損を防止したことが本発明の最も大きい効果であって、従来の貯蔵式温水器に最も大きい問題点である過圧を解消させて温水槽の爆発危険要素の除去と耐久性向上により寿命が延長されるようにした有用な発明である。
【図面の簡単な説明】
【００２０】
【図１】本発明に従う温水器用ワンレバー式冷温水混合水栓モジュールの外観斜視図である。
【図２】図１の温水器用ワンレバー式冷温水混合水栓モジュールの主要部分解組立斜視図である。
【図３】本発明に従う冷温水混合水栓金口の内部構成を示す切開斜視図である。
【図４】図３の参考平面図である。
【図５】図３のＡ−Ａ’線参考側面図である。
【図６】本発明に従う冷温水混合水栓金口の参考図であって、i）は底面斜視図、ii）は底面図である。
【図７】本発明に従う温水器用ワンレバー式冷温水混合水栓モジュールの設置使用状態参考斜視図である。
【図８】本発明に適用された一般冷温水分配３ウェイバルブの参考図である。
【発明を実施するための形態】
【００２１】
前記のような目的をなすために、以下に添付した図面により本発明の一実施構成を説明すると、次の通りである。
【００２２】
図１は本発明に従う温水器用ワンレバー式冷温水混合水栓モジュールの外観斜視図であり、図２は図１の温水器用ワンレバー式冷温水混合水栓モジュールの主要部分解組立斜視図の図示のように、本発明の温水器用ワンレバー式（one-lever type）冷温水混合水栓１００Ａの外形上の形態は上方に１つの円形の冷温水出口が、下方の左右に弧形の温水入口、冷水入口が形成された下部円板弁の上に不倒翁型の凹溝が形成された上部円板弁が密着組立された上部円板弁に連結された冷温水調節レバー１５０により上部円板を上下左右に調整して温水と冷水または冷温水混合または給水供給停止のような開閉動作がなされる３ウェイバルブモジュール１２０を収容して３ウェイバルブモジュールロッキングねじキャップ１３０とねじキャップロッキングナット１４０により組立設置する冷温水混合水栓金口１００と、前記冷温水混合水栓金口１００のボディーの一側に温水と冷水または冷温水混合水が排出される吐水口１０４が設けられた分岐部１０３にシャワー器組立キャップナット１６２のフレキシブル管１６１に設置されたシャワー器１６０が設置されるものであって、外見上に大きい変化がないが、本発明に従う温水器用ワンレバー式（one-lever type）冷温水混合水栓１００Ａの主要部である冷温水混合水栓金口１００の内部構造を説明すると、次の通りである。
【００２３】
図３は本発明に従う冷温水混合水栓金口の内部構成を示す切開斜視図であり、図４は図３の参考平面図であり、図５は図３のＡ−Ａ’線参考側面図であり、図６は本発明に従う冷温水混合水栓金口の参考図であって、i）は底面斜視図、ii）は底面図を参照して詳細に説明すると、次の通りである。
【００２４】
上層に３ウェイバルブモジュール１２０が収容設置される３ウェイバルブ収容部１０１と、３ウェイバルブ収容部の下部である３ウェイバルブ収容部底板１０６と、３ウェイバルブ収容部１０１の下部空間である合水部１０２と、合水部の一側上方に分岐部１０３が一体に設けられた冷温水混合水栓金口１００において、前記３ウェイバルブ収容部底板１０６には２つの３ウェイバルブモジュール設置キー凹溝１０５の間に設けられた冷水流入口Ｇ１は、合水部１０２とは通水されないままに合水部直下方の底外側に一体に突出形成された冷水流入口ソケットＳＧ１と通水され、前記３ウェイバルブモジュール設置キー凹溝１０５に対向する３ウェイバルブ収容部底板１０６の上の右方に設けられた温水槽冷水供給口Ｇ２は合水部１０２とは通水されないままに合水部直下方の底外側に突出形成された温水槽冷水供給口ソケットＳＧ２と通水されるように一体形成され、前記３ウェイバルブモジュール設置キー凹溝１０５に対向する３ウェイバルブ収容部底板１０６の上の左方に設けられた合水部冷水供給口Ｇ３は合水部１０２と通水されるように形成され、合水部冷水供給口Ｇ３の直下方位置の合水部１０２の底に形成した合水部温水流入口Ｇ４は合水部の底外側に突出形成された合水部温水流入口ソケットＳＧ４と一体に通水される構造である。
【００２５】
前記のように構成された本発明の温水器用ワンレバー式冷温水混合水栓の主要部である冷温水混合水栓金口１００の配管設置を添付した図７の本発明に従う温水器用ワンレバー式冷温水混合水栓モジュールの設置使用状態参考斜視図を通じて詳細に説明すると、次の通りである。
【００２６】
本発明の図７に図示された温水槽２００は、密閉した貯蔵式温水器であって、通常、冷水が温水槽冷水供給ニップル２０１を通じて流入して、電気ヒーター棒またはガス熱により加熱されて温水槽温水流出ニップル２０２を通じて温水が排出されるものであって、図７に採択された図面は壁掛け型貯蔵式温水槽２００の一例示であるが、本発明に従う温水槽２００はこれに限定されず、スタンド型貯蔵式温水槽まで全て適用されると前提する。
【００２７】
本発明に従う冷温水混合水栓金口１００の３ウェイバルブ収容部１０１の３ウェイバルブ収容部底板１０６に設けられた３ウェイバルブモジュール設置キー凹溝１０５に図２に参考図示された３ウェイバルブモジュール１２０の底部に形成された突出棒を嵌合し、管体の下部外側にタブが上部に六角レンチが一体に形成された３ウェイバルブモジュールロッキングねじキャップ１３０で密着組立し、また３ウェイバルブモジュールロッキングねじキャップ３００の管体下部タブに組み立てられるナットにより外輪が截頭されたドーム形状に加工されたねじキャップロッキングナット１４０を組立てて、３ウェイバルブ収容部１０１の３ウェイバルブ収容部底板１０６に３ウェイバルブモジュール１２０を密着組立させるものである。
【００２８】
一方、密着組立された３ウェイバルブモジュール１２０のレバー軸には冷温水調節レバー１５０を組立てて、冷温水混合水栓金口１００の分岐部１０３に設けられた吐水口１０４にはシャワー器組立キャップナット１６２によりシャワー器１６０を設置する。
【００２９】
参考に、前記のように、３ウェイバルブ収容部１０１の３ウェイバルブ収容部底板１０６に密着組立される３ウェイバルブモジュール１２０は、図８に参考図示した一般冷温水分配３ウェイバルブからなった通常のものである。
【００３０】
一方、添付した図６及び図７を参照すると、本発明に従う冷温水混合水栓金口１００の合水部１０２の底面部に形成された冷水流入口ソケットＳＧ１には給水栓から供給される給水栓冷水供給管１１０を配管設置し、温水槽冷水供給口ソケットＳＧ２には温水槽２００の温水槽冷水供給ニップル２０１と配管設置された温水槽冷水供給管１１２を配管設置し、合水部１０２の底面部に形成された温水流入口ソケットＳＧ４にはアダプタ１０８ａとモジュール組立板組立ナット１０８ｂが締結された温水槽温水排出管１１１の一端を締結し、他端は温水槽の温水槽温水流出ニップル２０２に配管設置するものである。
【００３１】
一方、前記のように配管組立された冷温水混合水栓金口１００は、温水槽２００の外装体または洗面台に固定する場合には、冷温水混合水栓金口１００の下方に設けられた冷水流入口ソケットＳＧ１と温水槽冷水供給口ソケットＳＧ２、合水部温水流入口ソケットＳＧ４に外径部にパッキング１０７と冷温水混合水栓金口組立板１０８を嵌めて、合水部温水流入口ソケットＳＧ４に組み立てられた温水槽温水排出管１１１のアダプタ１０８ａに締結されたモジュール組立板組立ナット１０８ｂを用いるようにする。
【００３２】
前記のように配管設置された本発明に従う本発明の温水器用ワンレバー式（one-lever type）冷温水混合水栓１００Ａの一実施作用を詳細に説明すると、次の通りである。
【００３３】
図７に示すように、温水槽２００を備えた外装体または洗面台に固定設置された冷温水混合水栓金口１００には、給水栓冷水供給管１１０が配管設置された冷水流入口ソケットＳＧ１を通じて冷水Ｃが流入して、合水部１０２の内に流入せず、３ウェイバルブ収容部底板１０６の冷水流入口Ｇ１に流入した配管構造である。
【００３４】
したがって、３ウェイバルブ収容部底板１０６に密着組立された３ウェイバルブモジュール１２０を操作する冷温水調節レバー１５０を左方や右方に関係なく上方に上げない状態で温水槽が設定した温度を維持するために、沸きを繰り返しながら待機している状態では、図８に参考図示したように、従前の下部円板弁１に設けられた冷水入口１ａと温水入口１ｂは上部円板弁２により密閉された状態で本発明では冷水流入口ソケットＳＧ１を通じて３ウェイバルブ収容部底板１０６の上の冷水流入口Ｇ１まで流入した冷水Ｃは停止した状態を維持するが、冷温水混合水栓金口１００の合水部温水流入ソケットＳＧ４に配管設置された温水槽２００の温水槽温水流出ニップル２０２で配管された温水槽温水排出管１１１が開通された状態で合水部１０２の一側上方に一体に形成された分岐部１０３の吐水口１０４を通じて設置されたシャワー器１６０のノズル孔を通じて発生された蒸気は常時大気に排出されて温水槽の内部は膨脹圧力が発生されず、大気圧と同一な状態に維持される。
【００３５】
このように、大気圧を維持する温水槽２００は従前には密閉状態から温水の膨脹による温水槽が膨脹するか、温水使用待機中に温水を使用することによって給水栓で直結された冷水管から供給される冷水の水圧が急に温水槽２００の内部に流入する過圧と、冷水流入に従う急激な冷却により温水槽が急速収縮するような反復動作による温水槽２００の破損が防止できるようになる。
【００３６】
また、使用者が冷水のみを使用しようとする場合に、冷温水調節レバー１５０を持ち上げて左方に最大限押す場合には、３ウェイバルブモジュール１２０に備えられた従前の冷温水出口１ｃと冷水入口１ａが開通される構造で、本発明では３ウェイバルブ収容部底板１０６の上に冷水流入口Ｇ１と合水部冷水供給口Ｇ３のみ開通され、温水槽冷水供給口Ｇ２は密閉された状況である。
【００３７】
したがって、温水槽冷水供給口Ｇ２が密閉された状況で、温水槽２００は冷水が供給されず、温水槽温水流出ニップル２０２では温水が排出されないので、合水部１０２に配管設置された合水部温水流入口Ｇ４を通じて温水が流入しない状態で３ウェイバルブ収容部底板１０６の上の冷水流入口Ｇ１まで流入した冷水Ｃは専ら合水部冷水供給口Ｇ３を通じて合水部１０２の一側に設けられた分岐部１０３を通じてシャワー器１６０に冷水のみ排出される。
【００３８】
一方、使用者が温水のみを使用しようとする場合に、冷温水調節レバー１５０を持ち上げて右方に最大限押す場合には３ウェイバルブモジュール１２０に備えられた従前の冷温水出口１ｃと温水入口１ｂが開通される構造で、本発明では３ウェイバルブ収容部底板１０６の上に冷水流入口Ｇ１と温水槽冷水供給口Ｇ２のみ開通され、合水部冷水供給口Ｇ３は密閉された状況である。
【００３９】
したがって、合水部冷水供給口Ｇ３が密閉された状況で、合水部１０２に冷水が供給されない状態で温水槽２００には温水槽冷水供給口Ｇ２を通じて専ら冷水のみ供給されて、温水槽の内部で設定温度に加温されて待機中の温水は温水槽温水流出ニップル２０２を通じて排出された温水は合水部１０２に配管設置された合水部温水流入ソケットＳＧ４を通じて温水が流入して合水部１０２の一側に設けられた分岐部１０３を通じてシャワー器１６０に温水のみ排出される。
【００４０】
もし、使用者が冷温水を半々混合使用しようとする場合に、冷温水調節レバー１５０を持ち上げて中間位置に設定する場合には、３ウェイバルブモジュール１２０に備えられた従前の下部円板弁１に形成された冷温水出口１ｃと冷水入口１ａ及び温水入口１ｂに上部円板弁２に形成された不倒翁型凹溝２ａが相互開通された状態で、本発明では給水栓冷水供給管１１０を通じて流入した冷水Ｃが３ウェイバルブ収容部底板１０６の上に冷水流入口Ｇ１を通じて温水槽冷水供給口Ｇ２と合水部冷水供給口Ｇ３に同時に冷水を供給して、温水槽冷水供給口Ｇ２を通じて排出された冷水は温水槽冷水供給管１１２を通じて温水槽２００に流入して温水槽の水を補充し、次に温水槽温水流出ニップル２０２を通じて加温された温水は温水槽温水排出管１１１を通じて合水部の底の合水部温水流入ソケットＳＧ４を通じて合水部１０２に流入する一方、合水部冷水供給口Ｇ３を通じて流入した冷水Ｃ１は合水部の内に流入した温水と混合されて分岐部１０３を通じてシャワー器１６０に冷温混合水が排出される。
【符号の説明】
【００４１】
１００Ａ    ワンレバー式（one-lever type）冷温水混合水栓モジュール
１００    冷温水混合水栓金口
１０１    ３ウェイバルブ（3-way valve）収容部
１０２    合水部
１０３    分岐部
１０４    吐水口
１０５    ３ウェイバルブモジュール設置キー凹溝
１０６    ３ウェイバルブ収容部底板
１０７    パッキング
１０８    冷温水混合水栓金口組立板
１０８ａ    アダプタ
１０８ｂ    モジュール組立板組立ナット
１１０    給水栓冷水供給管
１１１    温水槽温水排出管
１１２    温水槽冷水供給管
１２０    ３ウェイバルブモジュール
１３０    ３ウェイバルブモジュールロッキングねじキャップ
１４０    ねじキャップロッキングナット
１５０    冷温水調節レバー
１６０    シャワー器
１６１    フレキシブル管
１６２    シャワー器組立キャップナット
Ｇ１    冷水流入口
ＳＧ１    冷水流入口ソケット
Ｇ２    温水槽冷水供給口
ＳＧ２    温水槽冷水供給口ソケット
Ｇ３    合水部冷水供給口
Ｇ４    合水部温水流入口
ＳＧ４    合水部温水流入口ソケット
Ｃ、Ｃ１、Ｃ２    冷水流路
Ｈ１    温水流路
２００    温水槽
２０１    温水槽冷水供給ニップル
２０２    温水槽温水流出ニップル
１    下部円板弁
１ａ    冷水入口
１ｂ    温水入口
１ｃ    冷温水出口
２    上部円板弁
２ａ    不倒翁型凹溝
【図１】
0005646027.tif 000002
【図２】
0005646027.tif 000003
【図３】
0005646027.tif 000004
【図４】
0005646027.tif 000005
【図５】
0005646027.tif 000006
【図６】
0005646027.tif 000007
【図７】
0005646027.tif 000008
【図８】
0005646027.tif 000009